(57)【要約】【課題】  入出管理を行うゲート手段によって区分される部門外において情報の漏洩を防ぎ、且つゲート手段によって区分されるセキュリティーエリア内外どちらにいるかを自動的に上記非接触ＩＣ手段内に書き込み、上記セキュリティーエリア内で撮影動作を行おうとした場合に、撮影制限を行うこと。【解決手段】  非接触IC手段に記憶された情報を読み出し/書き込みを行うリーダー/ライタ機能を有するゲート手段を複数有するセキュリティーシステムにおいて、上記ゲート手段をネットワークによって相互接続し、ゲート手段を通ってセキュリティーエリア内外を出入りする際に入出管理を行うとともに、セキュリティーエリア外から内に入る際には、デジタルカメラ内の非接触IC手段内にエリア内フラグを自動的に設定する。また、セキュリティーエリア内から外に出る際には、デジタルカメラ内の非接触IC手段内のエリア内フラグを自動的にクリアする。【選択図】  図１
2007086896.tif 000002
【特許請求の範囲】
【請求項１】
非接触IC手段と、上記非接触IC手段に格納された情報を非接触にて読み出し/書き込みを行うリーダ/ライタ手段を備えた複数のゲート手段と、上記複数のゲート手段をそれぞれ接続するネットワーク手段とから構成される、入出管理用セキュリティーシステムにおいて、
上記複数のゲート手段によって形成されるセキュリティーエリア内にて、上記非接触IC手段内に格納された機密情報を利用して情報の授受を行う情報端末を有し、
上記セキュリティーエリア内からセキュリティーエリア外に退出する場合に、退出許可管理をすると共に、上記非接触IC手段内に退出情報を書き込む退出管理手法と、
上記セキュリティーエリア外からセキュリティーエリア内に入場場合に、入場許可管理をすると共に、上記非接触IC手段内に入場情報を書き込む入場管理手法と
上記非接触IC手段を搭載した情報記録手段と
から成るセキュリティーシステム。
【請求項２】
請求項1に記載の情報記録手段は、記録動作を行う際に、上記情報記録手段内に搭載された退出/入場情報を確認し、退出情報が格納されていた場合のみ撮影動作を行うことができることを特徴とするセキュリティーシステム。
【請求項３】
請求項１に記載の情報記録手段は、上記セキュリティーエリア内で記録動作を行った際に、情報記録手段内の非接触IC手段内に機密情報フラグを自動的に設定することを特徴とするセキュリティーシステム。
【請求項４】
請求項３に記載のセキュリティーシステムは、上記情報記録手段内の上記非接触IC手段内に、機密情報フラグが格納されていて、且つ上記情報記録手段が、上記ゲート手段を通過して退場しようとすることを検出した場合、警告を行うことを特徴とする、セキュリティーシステム。
【請求項５】
請求項1の情報記録手段は、静止画を記録するカメラであることを特徴とする、セキュリティーシステム。
【発明の詳細な説明】
【技術分野】
【０００１】
RFIDのような非接触ICを入出管理に用いるセキュリティーシステムにおいて、セキュリティーシステム内での情報記録手段の記録動作を制限するものである。
【背景技術】
【０００２】
従来から、接触/非接触認証手段により、入出管理を行うセキュリティーシステムは利用されており、且つ、上記認証手段内の記憶領域を用いて、清算や機器制御などに利用されて来ている。
しかし、上記セキュリティーシステム内での情報記憶手段の記録動作を制限することをは行われていなかった。
【０００３】
従来例としては、例えば特許文献１と特許文献２をあげることが出来る。
【特許文献１】特開２０００−３０６１３０号公報
【特許文献２】特開平０８−９５８８２号公報
【発明の開示】
【発明が解決しようとする課題】
【０００４】
近年、RFIDのような非接触ICによって認証作業を行う機会が増えているが、この非接触IC内の記憶領域内に部門秘情報を格納し、セキュリティーエリア内での部門秘情報を活用できる構成が考えられる。
【０００５】
しかし、上記セキュリティーエリア内で、たとえばデジタルカメラ等によって機密情報を撮影し、その情報を上記セキュリティーエリア外に持ち出すことが可能であり、セキュリティーが低下することが問題となる。
【課題を解決するための手段】
【０００６】
非接触IC手段に記憶された情報を読み出し/書き込みを行うリーダー/ライタ機能を有するゲート手段を複数有するセキュリティーシステムにおいて、上記ゲート手段をネットワークによって相互接続し、ゲート手段を通ってセキュリティーエリア内外を出入りする際に入出管理を行うとともに、セキュリティーエリア外から内に入る際には、デジタルカメラ内の非接触IC手段内にエリア内フラグを自動的に設定する。また、セキュリティーエリア内から外に出る際には、デジタルカメラ内の非接触IC手段内のエリア内フラグを自動的にクリアする。
【０００７】
デジタルカメラ利用者は、上記セキュリティーエリア内で撮影動作を行おうとする場合、上記非接触IC手段内のエリア内フラグが設定されているため、撮影することができない。
【発明の効果】
【０００８】
以上の制御によって、セキュリティーエリア内での撮影制限を自動的に行うことが可能となる。
【０００９】
または、上記撮影時に撮影動作自体は許可するが上記デジタルカメラ内に機密情報が格納されていることを機密情報フラグとして上記非接触IC手段内に自動的に設定し、上記ゲートを通過する際に、警告を行うことにより、機密情報が外部に漏洩しないようにすることが可能となる。
【００１０】
上記手段は、撮影制限もしくは機密情報フラグを上記非接触IC手段内に設定することで、例えデジタルカメラ本体の電源がOFFになっている状態でゲートを通過しようとしても、セキュリティーを掛けることが可能である。
【発明を実施するための最良の形態】
【００１１】
（実施例1）
本発明の全体システムを図１に示す。本システムにおいては、複数のゲート101や物理的な隔壁である壁 (不図示) 等によって外界から区分されたセキュリティーエリア100を定義する。上記セキュリティーエリア内では、機密情報をやり取りすることができる。複数の各ゲート101は内部に、RFID手段105に格納された情報を読み出し/書きこみを行うことができるリーダ/ライタ手段500を有し、非接触にて情報のやり取りを行う。また各ゲート101は第1のネットワーク手段102によって相互に接続されており、第1のネットワーク手段102に接続されたセキュリティーサーバ103との間で、機密情報のやり取りを行う。機密性を向上させるため、上記第1のネットワーク手段は外界のネットワーク(インターネット)とは分離されていることが望ましいが、ゲートウェイ等の分離手段(不図示)によって情報的に分離されている構成を取っても良い。
【００１２】
ユーザーは上記ゲート手段101を通過して上記セキュリティーエリア100内に入場した際に、上記リーダ/ライタ手段500により、入場状態であることを示す情報を、上記デジタルカメラ内に格納されたRFID105手段に自動的に非接触にて書き込む。またユーザーが上記セキュリティーエリア内から外へ退出する際に、上記リーダ/ライタ手段500により、出場したことを示すために、上記入場状態であることを示す情報を自動的に非接触で削除する。
【００１３】
上記システムにおいて、もしユーザーが上記セキュリティーエリア内100で上記デジタルカメラによって撮影を行おうとした場合、デジタルカメラ内では上記非接触IC手段内に入場状態情報が格納されていることを認識し、撮影動作が行われないようにする。
【００１４】
たとえば、デジタルカメラのシャッターが降りないようにしたり、警告音や、警告メッセージを表示部に表示するようにすることで、ユーザーに対して、撮影ができないことを通知する。
【００１５】
図２では本システムで実施するセキュリティーシステムにおいて、RFID105手段とリーダ/ライタ手段500の間で行われる情報の授受について説明する。
【００１６】
RFID105手段内には、ユーザID 201と個別データ202が格納される。
【００１７】
上記固有なユーザID201は各RFID105手段それぞれに固有な数値が割り振られており、このユーザID201を元に上記RFID105を所有する個人を認識することができる。
【００１８】
個別データ202は各ユーザによって格納されるデータ数は異なるが、1つのRFID手段105内に一つ乃至複数の個別データ202が格納されている。個別データ202の構成としては、個別データID203、データ本体204、機密フラグ205によって構成される。
【００１９】
個別データID203は各個別データそれぞれによって任意の数が割り振られており、ユーザID情報201と組み合わせることで、各種データの授受を開始することができる。
【００２０】
図３は、セキュリティーエリア100内から外部に退出する場合のデジタルカメラ104内のRFID手段105とゲート手段101内のリーダ/ライタ手段500との間での情報の授受を説明するフローチャートであり、以下順を追って説明する。
【００２１】
ユーザが上記セキュリティーエリア内から外部に退出する場合、ゲート手段101を通過する際に、ゲート手段101内に設置されたリーダ/ライタ500に非接触RFID手段105をかざす。(S301)
次にリーダ/ライタ手段500から電力供給用の電波を送信し、デジタルカメラ104内のRFID手段105に給電し、内部不揮発性メモリ手段から、ユーザID201を読み出す。(S302)
S303にて、リーダ/ライタ手段に第1のネットワーク手段102を介して接続されているセキュリティーサーバ103に対して、読取ったユーザID201を元に照会を行う。具体的には、上記ユーザID201は登録されているIDか、及び現在セキュリティーエリア内に居たかどうかの確認を行う。
【００２２】
上記RFID手段105は、上記セキュリティーシステムに対して運用される前に、予め上記セキュリティーサーバ103に登録されていることが必要である。登録されていないユーザID201を持つRFID手段105がゲート手段101内のリーダ/ライタ手段500にて検出された場合は、セキュリティー違反となる。
【００２３】
また、入出力管理と共に、ゲート通過時にセキュリティーエリア内に居たか居なかったかを管理する。よって、本フローチャート説明においては、ユーザーはゲート通過前には、上記セキュリティーエリア100内に居たはずであり、上記セキュリティーサーバ103に該ユーザIDの履歴情報がエリア内に居なかったと記録されていた場合は、過去のいずれかの時点で入場時にゲート手段101を不正に回避していたと判断される。
【００２４】
S303にて不正なユーザIDであると判断された場合、該RFIDはセキュリティー違反であるため、S304にて警告を行う。警告する手段は本実施例では重要ではないので、詳細に説明はしないが、例えばゲート手段に設置された表示部(不図示)に認証エラーを検出した旨を表示したり、警告音を鳴らす等の方法が考えられる。同時にゲート手段101を一時的に閉鎖するなどを行っても良い。
【００２５】
S303にて認証が成功した場合、S305にてセキュリティーサーバ103に対して該ユーザID201を退出状態として履歴に記録する。これにより、上記RFID手段105を有するユーザは退出管理上は、退出しても良いと判断されたことになる。この場合、引き続き機密情報の保護動作を行う。
【００２６】
次にS307にてRFID手段内の機密フラグ205内に"退出した"ことを記録する。
【００２７】
最後にS308にて全ての退出管理動作を終了する。
【００２８】
上記のRFID手段104へのデータの書き込み及び読み出しは、外部リーダ/ライタからの無線電力により行われるため、仮にデジタルカメラ104事態の電源がOFFされていても問題なく行うことが可能である。
【００２９】
図４は、セキュリティーエリア100外から内部に入場する場合のRFID手段105とゲート手段101内のリーダ/ライタ手段500との間での情報の授受を説明するフローチャートであり、以下順を追って説明する。
【００３０】
ユーザが上記セキュリティーエリア100外から内部に入場する場合、ゲート手段101を通過する際に、ゲート手段101内に設置されたリーダ/ライタ500に非接触RFID手段105をかざす。(S401)
次にリーダ/ライタ手段500電力供給用の電波を送信し、RFID手段105に給電し、内部不揮発性メモリ手段から、ユーザID201を読み出す。(S402)
S403にて、リーダ/ライタ手段に第1のネットワーク手段102を介して接続されているセキュリティーサーバ103に対して、読取ったユーザID201を元に照会を行う。具体的には、上記ユーザID201は登録されているIDか、及び現在セキュリティーエリア外に居たかどうかの確認を行う。
【００３１】
上記RFID手段105は、上記セキュリティーシステムに対して運用される前に、予め上記セキュリティーサーバ103に登録されていることが必要である。登録されていないユーザID201を持つRFID手段105がゲート手段101内のリーダ/ライタ手段500にて検出された場合は、セキュリティー違反となる。
【００３２】
また、入出力管理と共に、ゲート通過時にセキュリティーエリア内に居たか居なかったかを管理する。よって、本フローチャート説明においては、ユーザはゲート通過前には、上記セキュリティーエリア外に居たはずであり、上記セキュリティーサーバ103に該ユーザIDの履歴情報がエリア外に居なかったと記憶されていた場合は、過去のいずれかの時点で退出時にゲート手段101を不正に回避していたと判断される。
【００３３】
S403にて不正なユーザIDであると判断された場合、該RFIDはセキュリティー違反であるため、S404にて警告を行う。警告する手段は本実施例では重要ではないので、詳細の説明はしないが、例えばゲート手段に設置された表示部(不図示)に認証エラーを検出した旨を表示したり、警告音を鳴らす等の方法が考えられる。同時にゲート手段101を一時的に閉鎖するなどを行っても良い。
【００３４】
S403にて認証が成功した場合、S405にてセキュリティーサーバ103に対して外ユーザID201を入場状態として履歴に記録する。これにより、上記RFID手段105を有するユーザは入場管理上は、入場しても良いと判断されたことになる。
【００３５】
次にS406にてRFID手段105内の機密フラグ205に対して"入場中"であることを記録する。
【００３６】
最後にS407にて全ての入場管理動作を終了する。
【００３７】
上記のRFID手段104へのデータの書き込み及び読み出しは、外部リーダ/ライタからの無線電力により行われるため、仮にデジタルカメラ104事態の電源がOFFされていても問題なく行うことが可能である。
【００３８】
[リーダ/ライタ部]
図５では、RFID手段104内のデータの読み出し/書き込みを行う、リーダ/ライタ手段500の内部構成を説明する。リーダライタ部500は、600の非接触IC部に対して電波を送信するための送信アンテナ部501と、送信アンテナから送信する電波の変調を行うための変調回路502と、600の非接触IC部から送られてくる電波を受信するための受信アンテナ部503、503の受信アンテナ部より受信した信号を復調するための復調回路504、また501の送信アンテナ部と、502の変調回路、503の受信アンテナ部、504の復調回路を制御するための制御部505と、上位機器との通信を行うI/F部と、送信アンテナ部501に接続され、600の非接触ICへの電力供給を行う電源507から構成される。
【００３９】
前記制御部505は、外部からの指示により502の変調回路を用いて電力を供給するための電波および、送信するデータを変調して、501の送信アンテナ部より外部へ電波を送信する。また、外部より受信した電波信号を、503の受信アンテナ部で受信して、504の復調回路によって復調したのち、データ信号として扱えるように変換することが可能である。
【００４０】
[RFID部]
図６では、RFID104手段自体の構成を説明する。RFID104は、非接触IC部600を包含する。本実施例ではカード型のRFID手段を想定しており、上記カード内に以下非接触IC部600が内包されているものである。
【００４１】
非接触IC部600は、601の不揮発性メモリ、602の電波を送受信するためのアンテナ部と、603の共振コンデンサ部、604の電源の整流・平滑を行うための電力形成部と、605の電波の変調、復調を行うための復変調部、606の制御部とから構成される。
【００４２】
602のアンテナ部は、603の共振コンデンサと組み合わされ、共振回路を構成できるようになっている。外部から電力を供給するための電波信号が送られることにより、これを共振回路で受け取って、前記604に示される電力形成部へ供給し、604の電力生成部は600の非接触ICを動作させるための電力を供給することが可能となる。前記電力は、601の不揮発性メモリや、605の復変調回路へ供給される。606の制御部は、600の非接触IC部の制御を行うためのものである。
【００４３】
外部から、電力を供給するための電波とあわせて、非接触IC部から読み出す、または書き着込むためのデータも同時に送受信され、600の非接触IC部へ送られてきた信号は、605の復変調回路によって、復調され606の制御部を介して、601の不揮発性メモリへ記憶される。また、606の制御部によって、601の不揮発性メモリから読み出されたデータは、605の復変調回路によって変調され、602のアンテナ部から電波信号として送信可能である。
【００４４】
図7に本実施例で実施するデジタルカメラの撮影制御を説明するフローチャートを説明する。
【００４５】
S701にてユーザーがデジタルカメラ104の電源を投入後に撮影を行おうとしてシャッターを押下したかどうかを判断する。
【００４６】
シャッターが押下されたと判断された場合、次にS702にてデジタルカメラ内のCPU(不図示)等の判断部により、RFID手段105内を確認する。
【００４７】
次にS703にて現在このデジタルカメラ104がセキュリティーエリア100内にいるかどうかを判断する。
【００４８】
もしセキュリティーエリア100外にいると判断された場合には、撮影が可能であるため、S704にて撮影が行われる。
【００４９】
またもしセキュリティーエリア100内にいると判断された場合には、撮影不可能であるため、S705にて撮影動作を中断し、更にS706にてデジタルカメラ104の表示部(不図示)に警告表示を行う。
【００５０】
次にフローはS701に遷移して、撮影制御動作を引き続き行う。
【００５１】
本実施例では、セキュリティーエリア内でデジタルカメラでの写真撮影動作を制限する構成で説明したが、同様の制限を、銀塩カメラやムービーカメラやボイスレコーダ等に利用できることはいうまでもない。
【００５２】
（実施例２）
実施例1では、セキュリティーエリア内での写真撮影を制限する構成で説明したが、本実施例では、別の構成を説明する。
【００５３】
なお、本実施例ではセキュリティーエリアへの入退場時のRFID手段105内の機密フラグへのへのアクセスについては、実施例1に準じる。ただし、本実施例では現在セキュリティーエリア100内にいるのか外にいるのかの場所情報を保持するために、RFID105内の別のデータフィールド(不図示)を用いる。
【００５４】
セキュリティーエリア100内でデジタルカメラ104によって撮影動作を行おうとした際に、本実施例では、撮影動作自体は行うことが可能である。撮影動作を行った際に、現在セキュリティーエリア100内にいた場合には、デジタルカメラ内のRFID手段105内の機密フラグを確認することで、撮影された写真画像が、機密情報を含んでいるかどうかをゲート手段101のリーダ/ライタ手段500によって非接触で機密情報フラグを読み取ることで判断し、RFID手段内部に機密情報が含まれている場合には、セキュリティーエリアから退場する際に、警告等を行う。
【００５５】
図８に本実施例で行われるデジタルカメラ104側の制御フローを示す。
【００５６】
S801においてシャッターが押されたかどうかを判断する。もしシャッターが押されたと判断された場合、S802においてRFID内の場所情報を確認する。次にS803において上記読み取られた場所情報により、現在セキュリティーエリア100内にいるかどうかを判断する。もしセキュリティーエリア100外にいると判断された場合には、S804にて特に制限を行わずに撮影動作を行う。
【００５７】
もしセキュリティーエリア内にいると判断された場合には、S805においてまず画像データ毎に機密フラグ205に対して機密情報を設定する。次にS804にて撮影動作を行う。
【００５８】
最後にフローはS801に遷移して、次の撮影動作が行われるかの確認を引き続き行う。
【００５９】
次に図９にゲート手段101側の制御フローを示す。
【００６０】
本制御フローは、デジタルカメラ104を持ったユーザーがゲート手段101を通過してセキュリティーエリア100内から外に退場する場合の説明である。よって、退場時のセキュリティー制御自体は実施例1に準拠する。
【００６１】
S901において、ユーザーがゲート手段101内のリーダ/ライタ手段500にデジタルカメラ104をかざす。S902にて、デジタルカメラ104内のRFID手段105に記載されている場所情報が格納されている機密フラグの読み出しを非接触で行う。次にS903にてデジタルカメラ104内のRFID手段105内の各撮影された全ての画像データ202内の機密フラグ205が設定されているかどうか判断する。もし機密フラグ205が設定されているものがなかった場合、S904は特に何もせずに、ゲート101を通過することができる。もし全ての画像データ202内の機密フラグ205が1つでも設定されていた場合には、S905にて警告を行う。たとえば、ゲート手段101に設置された表示部(不図示)に警告メッセージを表示したり、警告音を出力するなどの警告が行われる。
【００６２】
その場合ユーザーはデジタルカメラ内の機密フラグ205が付加されている画像データを消去する必要があるため、S906において上記ゲート手段101内の表示部に、個別データID203も同時に表示される。これを受けてユーザーが指定された画像データを消去する。
【００６３】
次にS907にてゲート手段101内のリーダ/ライタ手段500によって再度全ての機密データを含む画像データ202がRFID手段105内に格納されているかどうかを確認する。
【００６４】
もし機密データがないと判断された場合にはS908にて機密情報確認作業を終了する。以降通常の退場管理が行われる。まだ、機密データがあると判断された場合には、S909にて引き続き、機密フラグ205を含む画像データ202の個別データID203を表示部に表示する。
【００６５】
本実施例では、RFID手段105内部に全ての撮影された画像データを格納する構成で説明した。しかし、RFID手段105の容量の問題で画像データを格納することができない場合がある。その場合は、図２の内、ユーザID201、個別データID203を参照するためのID情報、及び機密フラグ205のみをRFID内に格納する構成にし、図9のフローチャートのS903ではRFID手段105内の機密フラグ205を確認の上、判断するような構成をとってもかまわない。
【図面の簡単な説明】
【００６６】
【図１】本実施例で説明するセキュリティーシステムの全体図。
【図２】本実施例で使用する個別データの構成を示す図。
【図３】セキュリティーエリア内から退出する場合のフローチャート図。
【図４】セキュリティーエリア外から入場する場合のフローチャート図。
【図５】リーダ/ライタ部を説明する図。
【図６】RFID内を説明する図。
【図７】実施例1で説明する撮影制限方法を説明するフローチャート図。
【図８】実施例２で説明するデジタルカメラ側の制御を説明するフローチャート図。
【図９】実施例２で説明するゲート手段側の制御を説明するフローチャート図。
【図１】
2007086896.tif 000003
【図２】
2007086896.tif 000004
【図３】
2007086896.tif 000005
【図４】
2007086896.tif 000006
【図５】
2007086896.tif 000007
【図６】
2007086896.tif 000008
【図７】
2007086896.tif 000009
【図８】
2007086896.tif 000010
【図９】
2007086896.tif 000011